(57)【特許請求の範囲】
【請求項１】
手動推進車両の逆Ｕ字状をなすハンドルに着脱可能に取り付けられる手動推進車両用収納具において、
夫々上部に開口を有する複数のポケットが一面に並置された略矩形のシート状であり、物品を収納する収納具本体と、
該収納具本体の一部を折り返すことで前記収納具本体の上部に設けてあるループ部分の内部に挿通されることによって前記上部から両側方に延設され、夫々の端部に、係脱可能に係止する一組の係止部を有し、前記ハンドルの一側及び他側夫々との間の摩擦力又は接着力を向上させる部材を有する１本のベルトと
を備え、
該ベルトの係止部同士が係止することによってループ状になされることを特徴とする手動推進車両用収納具。
【請求項２】
前記ベルトは、該ベルトのループの長さを調整する調整器を設けてあることを特徴とする請求項１に記載の手動推進車両用収納具。
【発明の詳細な説明】
【技術分野】
【０００１】
本発明は、手動推進車両のハンドルに着脱可能に取り付けられる手動推進車両用収納具に関する。
【背景技術】
【０００２】
ベビーカー、チャイルドカー、ショッピングカート等の手動推進車両（手押し車）のハンドルに着脱可能に取り付けられる手動推進車両用収納具は、収納具本体がハンドルの下側又は手動推進車両の背面側に配されるため、手動推進車両を押すユーザが容易に物品の出し入れを行なうことができ、手動推進車両用収納具が不要である場合は容易に取り外すことができる。
【０００３】
従来、正面視矩形状の収納具本体の上下四隅に取り付け紐を設け、取り付け紐を手動推進車両の逆Ｕ字状をなすハンドル及び該ハンドル下部の手動推進車両のフレームに繋着し、また、取り付け紐を解いてハンドル及びフレームから離脱させることによって手動推進車両のハンドルに着脱可能に取り付けられる手動推進車両用収納具が開示されている（特許文献１参照）。
【０００４】
また、鞄、手提げ袋等の収納具の手提げ部が着脱可能に掛止されることによって収納具を手動推進車両のハンドルに吊り下げるフックが開示されている（特許文献２参照）。
【特許文献１】特開平１１−１０５７１４号公報
【特許文献２】特開２００３−３１４５２７号公報
【発明の開示】
【発明が解決しようとする課題】
【０００５】
しかしながら、特許文献１に開示されている手動推進車両用収納具は、手動推進車両のハンドル及びフレームに対する取り付け部分が４個あるため、手動推進車両用収納具の着脱に際して、ユーザの利便性が悪いという問題があった。
【０００６】
また、特許文献２に開示されているフックは、収納具の手提げ部をフックに係止するため、収納具の手提げ部が一箇所に集められ、特に袋状の収納具本体の開口が狭まって物品を出し入れする場合にユーザの利便性が悪いという問題があった。
【０００７】
本発明は斯かる問題を解決するためになされたものであり、その主たる目的は、複数のポケットが並置されたシート状の収納具本体の上部から両側方に延設され、端部に設けられた係止部同士の係止によってループ状になされるベルトを備えることにより、手動推進車両のハンドルに対する取り付けが簡便であり、容易に物品を出し入れすることができる手動推進車両用収納具を提供することにある。
【０００８】
本発明の他の目的は、ベルトのループの長さを調整可能な構成とすることにより、様々なサイズの手動推進車両に対して共用することができる手動推進車両用収納具を提供することにある。
【課題を解決するための手段】
【０００９】
第１発明に係る手動推進車両用収納具は、手動推進車両の逆Ｕ字状をなすハンドルに着脱可能に取り付けられる手動推進車両用収納具において、夫々上部に開口を有する複数のポケットが一面に並置された略矩形のシート状であり、物品を収納する収納具本体と、該収納具本体の一部を折り返すことで前記収納具本体の上部に設けてあるループ部分の内部に挿通されることによって前記上部から両側方に延設され、夫々の端部に、係脱可能に係止する一組の係止部を有し、前記ハンドルの一側及び他側夫々との間の摩擦力又は接着力を向上させる部材を有する１本のベルトとを備え、該ベルトの係止部同士が係止することによってループ状になされることを特徴とする。
【００１０】
第２発明に係る手動推進車両用収納具は、前記ベルトは、該ベルトのループの長さを調整する調整器を設けてあることを特徴とする。
【００１１】
第１発明にあっては、手動推進車両の逆Ｕ字状をなすハンドルに、ハンドルの一側及び他側にわたって、ループ状になされたベルトを張架する。この場合、手動推進車両用収納具の使用者は、係止部の係止を解除した状態で、例えば収納具本体の一側から延設されたベルトをハンドルの一側に、収納具本体の他側から延設されたベルトをハンドルの他側に、夫々巻き掛け、係止部同士を係止させることによって、ベルトをループ状となし、手動推進車両用収納具をハンドルに取り付ける。
【００１２】
ベルトは収納具本体の上部に配されているため、収納具本体の自重によって、ハンドルに張架されているベルトに張力が生じ、また、ベルトとハンドルとの間に摩擦力が生じて、手動推進車両用収納具の落下が抑制される。更に、係止部の係止を解除することによって、手動推進車両用収納具は容易にハンドルから取り外される。
【００１３】
更にまた、収納具本体は、例えば略矩形のシートの一面に複数のポケットを並置してなる。ベルトは収納具本体の上部から両側方に延設されているため、収納具本体の上部開口、即ちポケットの開口に対する物品の出し入れを阻害しない。
【００１４】
また、ループ状のベルトは、手動推進車両用収納具の手提げ部としても使用可能である。
ところで、収納具本体の上部には、収納具本体の一部を折り返すことによって、ループ部分が設けてある。ベルトは、このループ部分の内部に挿通されている。即ち、本発明の手動推進車両用収納具は構成が簡易である。
また、ハンドルの一側及び他側夫々とベルトとの間に、摩擦力又は接着力を向上させる部材が介在する。従って、手動推進車両用収納具の落下が更に抑制される。
【００１５】
第２発明にあっては、手動推進車両のハンドルのサイズに応じて、ベルトに設けられた調整器を用い、ベルトのループの長さを調整する。ベルトのループの長さが充分短い場合、ハンドルに張架されているベルトに強い張力が生じ、ベルトとハンドルとの間の摩擦力が大きくなるため、手動推進車両用収納具の落下が更に抑制される。
【発明の効果】
【００１６】
第１発明の手動推進車両用収納具による場合、手動推進車両のハンドルに対する手動推進車両用収納具の取り付け及び取り外しが、ベルトに設けられた一組の係止部の係止及び係止解除による一箇所で行なわれるため、使用者の利便性を向上させることができる。
【００１７】
更に、手動推進車両用収納具を、ハンドルの下側又は手動推進車両の背面側等、使用者の利便性の高い位置に、簡易に適宜配置することができる。しかも、ベルトは収納具本体のポケットの開口に対する物品の出し入れを阻害せず、また、収納具本体の手提げ部が一箇所に集められて収納具本体の開口の開口量が減少することがない。以上の結果、前記開口から容易に物品を出し入れすることができる。
更にまた、ベルトは、収納具本体の上部に設けてあるループ部分の内部に挿通されている。このため、本発明の手動推進車両用収納具は、１本のベルトを構成する２個のベルト片を収納具本体の両側に取り付ける構成よりも簡易に製造することができる。しかも、収納具本体に、ベルトを挿通させるための別部材を取り付ける構成よりも部品点数を減少させることができる。
【００１８】
第２発明の手動推進車両用収納具による場合、ベルトのループの長さを調整器で調整することができるため、手動推進車両のハンドルに取り付けられた手動推進車両用収納具の落下を更に抑制することができ、様々なサイズの手動推進車両に対して共用することができる。
【発明を実施するための最良の形態】
【００１９】
以下、本発明を、その実施の形態を示す図面に基づいて詳述する。
【００２０】
図１は、本発明に係る手動推進車両用収納具１をベビーカー４に取り付けた状態を示す正面図であり、図２は、手動推進車両用収納具１の構成を示す正面図である。また、図３は、手動推進車両用収納具１が備えるベルト３の構成を示す平面図である。
【００２１】
手動推進車両用収納具１は合成繊維製の織布を用いてなり、上部に開口２ｂ，２ｂ，…を有し、哺乳瓶、タオル等の物品５，５，…を収納する複数のポケット２１，２１，…，２２，２２，…を有する収納具本体２と、収納具本体２の上部に設けられたベルト３とを備える。手動推進車両用収納具１は、ベビーカー４の背面側に立つ使用者が使用するため、手動推進車両用収納具１の背面側とベビーカー４の背面側とが対向配置される。
【００２２】
収納具本体２は、略矩形のシート状の本体基部２０の正面下側に、下段のポケット２１，２１，…及び上段のポケット２２，２２，…を夫々左右に並置してなる。ポケット２１，２１，…，２２，２２，…は、夫々本体基部２０の面積よりも小さい面積を有する略矩形の織布と、該織布よりも小さい面積を有する略矩形の織布とを本体基部２０の正面にこの順に重ねて、各織布の上側の１辺以外の３辺を本体基部２０に縫着し、さらに、左右方向の適宜の位置を上下方向に縫着して形成してある。
【００２３】
下段中央のポケット２１，２１にはギャザーが設けてあり、また、ポケット２１，２１の内側で、かつ開口縁に沿う方向の中央部には面ファスナ２ａ，２ａが縫着してある。例えばポケット２１，２１を使用しない場合、又はポケット２１，２１内部に収納する物品５が小さい場合に面ファスナ２ａ，２ａを接合することによってポケット２１，２１の開口の一部が閉鎖され開口量が少なくなる。ポケット２１，２１内部に収納する物品５が大きい場合に面ファスナ２ａ，２ａの接合を解除することによってポケット２１，２１の開口量が多くなり、更に、ギャザーを広げることによってポケット２１，２１の収納容量がポケット２１，２１の開口閉鎖時よりも大きくなる。
【００２４】
本体基部２０の上部は、背面側に折り返され、折り返し端部が本体基部２０に縫着されて、ループ状に形成してある。ベルト３は、本体基部２０の上部のループ内部に挿通して、ループの左右に突出している。即ち、ベルト３は、収納具本体２の上部から両側方に延設されている。
【００２５】
ベルト３は、後述するハンドル４１との摩擦係数が高い帯状の織布を用いてなり、合成樹脂を用いて成型してある雄状の係止部３１が一端に取り付けてある。
【００２６】
また、ベルト３の中途には、合成樹脂を用いて成型してあるアジャスタ（調整器）３３が備えられており、アジャスタ３３は、ベルト３に沿って図２及び図３中矢符方向に摺動可能に設けてある。ベルト３の他端はアジャスタ３３に連結されており、このため、ベルト３は、ベルト３の他端からアジャスタ３３が位置するベルト３の中途までループ状に形成されている。ループ部３ａには、係止部３１と係脱可能に係合する雌状の係止部３２が、ループ部３ａに沿って摺動可能に取り付けてあり、係止部３１，３２が係止されることによって、ベルト３は全体的にループ状になされる。
【００２７】
ベルト３のループ状に形成された部分（以下、ループ部３ａという）の周長はアジャスタ３３によって調整可能であり、ループ部３ａの周長を加減することによって、係止部３１，３２が係止された場合のベルト３のループの長さが調整される。
【００２８】
収納具本体２の周縁部には、バイアステープが縫着されて、収納具本体２の周縁部を補強し、また、手動推進車両用収納具１の美観を向上させている。
【００２９】
ベビーカー４は、乳幼児が乗車する座席ユニット４０の後部上方に逆Ｕ字状をなすパイプ状のハンドル４１が配されている。ハンドル４１は、座席ユニット４０の左右方向に配された握り部４ａと、座席ユニット４０の後部両側方に略上下方向に配されて握り部４ａを一体に支持する支持部４ｂ，４ｃとで構成されている。握り部４ａと支持部４ｂ，４ｃ上部とは、合成ゴム製のカバー４２に覆われており、ベビーカー４の使用者が握持した場合に、摩擦力によって手が滑りにくくしてある。
【００３０】
以上のような手動推進車両用収納具１を用いる場合、使用者は、例えばベビーカー４の背後に立って、ポケット２１，２１，…，２２，２２，…が手前側になり、収納具本体２をベルト３で吊り提げるようにして、手動推進車両用収納具１を手に持つ。
【００３１】
そして、手動推進車両用収納具１のベルト３の係止部３１，３２の係止を解除し、係止部３１を有するベルト３の一側を、支持部４ｃに正面側から背面側へ一重に巻き掛け、同様にして係止部３２を有するベルト３の他側（ループ部３ａ側）を支持部４ｂに巻き掛け、係止部３１，３２を係合させる。この場合、係止部３１，３２の係合によってループ状になされた状態でベルト３が支持部４ｂ，４ｃにわたって張架され、支持部４ｂ，４ｃに張架されたベルト３に吊り下げられて、手動推進車両用収納具１がベビーカー４のハンドル４１の握り部４ａの下側に配される。
【００３２】
手動推進車両用収納具１は、収納具本体２の自重によって、支持部４ｂ，４ｃに張架されているベルト３に張力が生じ、また、帯状のベルト３と支持部４ｂ，４ｃとの間に摩擦力が生じることによって、支持部４ｂ，４ｃに固定される。この場合、手動推進車両用収納具１の落下を防止するために、ベルト３は、合成ゴム製のカバー４２上に巻き掛けることが好ましい。なお、ベルト３と支持部４ｂ，４ｃとの間に、摩擦力、接着力等を向上させる部材（例えばベルト３に設けられた粘着テープ）を介在させてもよい。
【００３３】
更に、支持部４ｂ，４ｃ間の距離に応じて、アジャスタ３３の位置を調整し、ベルト３のループの長さを加減する。ベルト３のループの長さを充分短くすることによって、支持部４ｂ，４ｃに張架されているベルト３に強い張力が生じ、ベルト３と支持部４ｂ，４ｃとの間の摩擦力が大きくなるため、手動推進車両用収納具１の落下が更に抑制される。
【００３４】
また、係止部３１，３２の係止を解除することによって、手動推進車両用収納具１は容易に支持部４ｂ，４ｃから取り外される。ベビーカー４から取り外した手動推進車両用収納具１は、係止部３１，３２を係合させたベルト３を手動推進車両用収納具１の手提げ部として用いることによって、手動推進車両用収納具１に物品５，５，…を収納したまま容易に携帯が可能である。
【００３５】
なお、手動推進車両用収納具１は、ベビーカー４以外の手動推進車両、例えばショッピングカートのハンドルに取り付けてもよい。また、ハンドル４１の形状は、２本の支持部４ｂ，４ｃが１本の握り部４ａを支持する構成に限らず、例えば、左右に分かれた２本の握り部夫々を支持部４ｂ，４ｃが支持する構成でもよい。更に、手動推進車両用収納具１は、１本のベルト３を備える構成に限らず、係止部３１を有するベルトを一側に、係止部３２を備えるベルトを他側に備える構成でもよい。更にまた、各係止部は、互いに係合する雄状／雌状の係止部に限らず、面ファスナ、ホック等を用いてなる係止部でもよい。
【図面の簡単な説明】
【００３６】
【図１】本発明に係る手動推進車両用収納具をベビーカーに取り付けた状態を示す正面図である。
【図２】本発明に係る手動推進車両用収納具の構成を示す正面図である。
【図３】本発明に係る手動推進車両用収納具が備えるベルトの構成を示す平面図である。
【符号の説明】
【００３７】
１  手動推進車両用収納具
２  収納具本体
２０  本体基部
２１，２２  ポケット
２ｂ  開口
３  ベルト
３１，３２  係止部
３３  アジャスタ（調整器）
４  ベビーカー（手動推進車両）
４１  ハンドル
５  物品
【図１】
0004403117.tif 000002
【図２】
0004403117.tif 000003
【図３】
0004403117.tif 000004